【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
現像剤を収納して現像手段に現像剤を供給する現像剤収納容器の開口部を封止するシール部材を開封駆動する開封駆動手段と、現像剤収納容器内の現像剤を撹拌する撹拌駆動手段と、を駆動するカップリング部材において、
前記カップリング部材は、画像形成装置本体より回転可能に駆動伝達する本体カップリング部材と係合し、前記開封駆動手段に駆動伝達し、前記シール部材が開封終了した後、前記撹拌駆動手段に駆動を伝達し、前記シール部材を開封駆動する方向に駆動伝達されるときは前記本体カップリング部材との回転中心が略一致し、また前記撹拌駆動手段を駆動するときは開封駆動手段を駆動する回転方向と異なる方向に駆動伝達されることを特徴とするカップリング部材。
【請求項２】
前記カップリング部材は、前記シール部材を開封駆動方向に回転するときには、前記本体カップリング部材との回転軸に対して径方向の係合部隙間が、前記撹拌駆動手段を回転する際の係合隙間よりも小であることを特徴とする請求項１に記載のカップリング部材。
【請求項３】
前記カップリング部材は、前記本体カップリング部材により前記シール部材を開封駆動する回転方向に駆動伝達されたとき、前記本体カップリング部材に設けられた係合部と係合する係合部を有し、これらの係合部の係合によって前記カップリング部材と前記本体カップリング部材との芯合わせが行われることを特徴とした請求項１に記載のカップリング部材。
【請求項４】
電子写真感光体と、前記電子写真感光体に形成された静電潜像を現像剤により顕像化する現像手段と、現像剤を収納して現像手段に現像剤を供給する現像剤収納容器と、現像剤収納容器の開口部を封止するシール部材と、前記シール部材を開封駆動する開封駆動手段と、現像剤収納容器内の現像剤を撹拌する撹拌駆動手段と、前記電子写真感光体を画像形成装置本体の回転可能な第一の本体カップリング部材と係合し駆動伝達される第一のカップリング部材と、前記開封駆動手段と前記撹拌駆動手段に駆動伝達するため前記画像形成装置本体の回転可能な第二の本体カップリング部材と係合し前記画像形成装置本体より駆動伝達される第二のカップリング部材と、を有し画像形成装置本体に着脱可能なプロセスカートリッジであって、
前記第二のカップリング部材が前記開封駆動手段を駆動する時には、前記第一のカップリング部材は、前記画像形成装置本体の第一の本体カップリング部材とは係合せず、前記第二のカップリング部材が前記撹拌駆動手段を駆動するときには前記第一のカップリング部材が前記第一の本体カップリング部材と係合する事を特徴とするプロセスカートリッジ。
【請求項５】
前記第二のカップリング部材は、前記シール部材を開封駆動する開封駆動手段に駆動伝達し、前記シール部材が開封終了した後、前記撹拌駆動手段に駆動を伝達することを特徴とする請求項４に記載のプロセスカートリッジ。
【請求項６】
前記第二のカップリング部材は、前記シール部材を開封駆動する回転方向と、前記撹拌駆動手段を駆動伝達する回転方向とが異なる方向に回転伝達され、前記シール部材を開封駆動する回転方向に回転する際には、前記第二の本体カップリング部材の回転軸に対して径方向の係合部隙間が、前記撹拌駆動手段を回転する際の係合隙間よりも小であることを特徴とした請求項５に記載のプロセスカートリッジ。
【請求項７】
前記第二のカップリング部材は、前記第二の本体カップリング部材により前記シール部材を開封駆動する回転方向に駆動伝達されたとき、前記第二の本体カップリング部材に設けられた係合部と係合する係合部を有し、これらの係合部の係合によって前記第二のカップリング部材と前記第二の本体カップリング部材との芯合わせが行われることを特徴とした請求項５に記載のプロセスカートリッジ。
【請求項８】
電子写真感光体と、前記電子写真感光体に形成された静電潜像を現像剤により顕像化する現像手段と、現像剤を収納して現像手段に現像剤を供給する現像剤収納容器と、現像剤収納容器の開口部を封止するシール部材と、前記シール部材を開封駆動する開封駆動手段と、現像剤収納容器内の現像剤を撹拌する撹拌駆動手段と、前記電子写真感光体を画像形成装置本体の回転可能な第一の本体カップリング部材と係合し駆動伝達される第一のカップリング部材と、前記開封駆動手段と前記撹拌駆動手段に駆動伝達するため前記画像形成装置本体の回転可能な第二の本体カップリング部材と係合し前記画像形成装置本体より駆動伝達される第二のカップリング部材と、を有するプロセスカートリッジが着脱可能な電子写真画像形成装置であって、前記第二のカップリング部材が前記開封駆動手段を駆動するときには、前記第一のカップリング部材は前記画像形成装置本体の第一の本体カップリング部材とは係合せず、前記第二のカップリング部材が前記撹拌駆動手段を駆動するときには前記第一のカップリング部材が前記第一の本体カップリング部材と係合する事を特徴とする電子写真画像形成装置。
【手続補正２】
【補正対象書類名】明細書
【補正対象項目名】００１５
【補正方法】変更
【補正の内容】
【００１５】
本出願に係る第４の発明は電子写真感光体と、前記電子写真感光体に形成された静電潜像を現像剤により顕像化する現像手段と、現像剤を収納して現像手段に現像剤を供給する現像剤収納容器と、現像剤収納容器の開口部を封止するシール部材と、前記シール部材を開封駆動する開封駆動手段と、現像剤収納容器内の現像剤を撹拌する撹拌駆動手段と、前記電子写真感光体を画像形成装置本体の回転可能な第一の本体カップリング部材と係合し駆動伝達される第一のカップリング部材と、前記開封駆動手段と前記撹拌駆動手段に駆動伝達するため前記画像形成装置本体の回転可能な第二の本体カップリング部材と係合し前記画像形成装置本体より駆動伝達される第二のカップリング部材と、を有し画像形成装置本体に着脱可能なプロセスカートリッジであって、前記第二のカップリング部材が前記開封駆動手段を駆動する時には、前記第一のカップリング部材は、前記画像形成装置本体の第一の本体カップリング部材とは係合せず、前記第二のカップリング部材が前記撹拌駆動手段を駆動するときには前記第一のカップリング部材が前記第一の本体カップリング部材と係合する事を特徴とするプロセスカートリッジである。


【手続補正３】
【補正対象書類名】明細書
【補正対象項目名】００１６
【補正方法】変更
【補正の内容】
【００１６】
本出願に係る第８の発明は電子写真感光体と、前記電子写真感光体に形成された静電潜像を現像剤により顕像化する現像手段と、現像剤を収納して現像手段に現像剤を供給する現像剤収納容器と、現像剤収納容器の開口部を封止するシール部材と、前記シール部材を開封駆動する開封駆動手段と、現像剤収納容器内の現像剤を撹拌する撹拌駆動手段と、前記電子写真感光体を画像形成装置本体の回転可能な第一の本体カップリング部材と係合し駆動伝達される第一のカップリング部材と、前記開封駆動手段と前記撹拌駆動手段に駆動伝達するため前記画像形成装置本体の回転可能な第二の本体カップリング部材と係合し前記画像形成装置本体より駆動伝達される第二のカップリング部材と、を有するプロセスカートリッジが着脱可能な電子写真画像形成装置であって、前記第二のカップリング部材が前記開封駆動手段を駆動するときには、前記第一のカップリング部材は前記画像形成装置本体の第一の本体カップリング部材とは係合せず、前記第二のカップリング部材が前記撹拌駆動手段を駆動するときには前記第一のカップリング部材が前記第一の本体カップリング部材と係合する事を特徴とする電子写真画像形成装置である。